(57)【要約】  ガス駆動式武器用の予めパッケージ化された虫用銃弾倉が、武器の間隙内に嵌るように適合された本体を含む。弾倉は、第１の面、第２の面および少なくとも１つの薬室を有する。薬室の長さは、第１の面から第２の面まで及ぶ。第１の脆弱なシール膜が、本体の第１の面に取り外し可能に取り付けられ、薬室の第１の端をシールする。第２の脆弱なシール膜が、本体の第２の面に取り外し可能に取り付けられ、の第２の端をシールし、薬室内に配置され、第１および第２の脆弱なシール膜により所定位置にシールされる。インデックスシステムが、薬室を武器の銃身と位置合わせする。発砲によって、加圧ガスが第１の膜を破り、粒子状発射物の衝撃が、第２の膜を破り、発射物を銃身に進入させる。【選択図】図６
2019513343.tif 000002
【特許請求の範囲】
【請求項１】
ガス駆動式武器用の予めパッケージ化された虫用銃弾倉であって、
前記ガス駆動式武器の間隙内に嵌るように適合されており、第１の面、第２の面および少なくとも１つの薬室を有する本体と、
前記薬室のそれぞれが第１の長さおよび第１の幅を有し、前記第１の長さが、前記薬室の第１の端にある前記第１の面から前記薬室の第２の端にある前記第２の面まで及ぶ、前記薬室と、
前記第１の面に取り外し可能に取り付けられ、前記薬室の前記第１の端をシールする第１の脆弱なシール膜と、
前記第２の面に取り外し可能に取り付けられ、前記薬室の前記第２の端をシールする第２の脆弱なシール膜と、
前記薬室内に配列され、前記第１の脆弱なシール膜および前記第２の脆弱なシール膜により所定位置にシールされた粒子状発射物と、
前記少なくとも１つの薬室を前記ガス駆動式武器の銃身と位置合わせするように適合されたインデックスシステムとを備え、
前記ガス駆動式武器の発砲によって、加圧ガスが前記第１の脆弱なシール膜を破り、前記粒子状発射物の衝撃が、前記第２の脆弱なシール膜を破り、前記発射物を前記銃身に進入させて前記ガス駆動式武器から吐出させる、ガス駆動式武器用の予めパッケージ化された虫用銃弾倉。
【請求項２】
前記インデックスシステムは、
前記本体の前記第１の面および前記第２の面のいずれかに配列された均等に離間した第１の連続特徴部と、
前記本体の周縁に配列された均等に離間した第２の連続特徴部とを備える、請求項１に記載の、ガス駆動式武器用の予めパッケージ化された虫用銃弾倉。
【請求項３】
前記第１の連続特徴部は、孔、ノッチ、ギア歯および突起を含む群から選択される、請求項２に記載の、ガス駆動式武器用の予めパッケージ化された虫用銃弾倉。
【請求項４】
前記ガス駆動式武器は、中央弾倉支持シャフトおよび弾倉インデックス機構を有するブレークアクション回転式のライフルまたは小銃の形態を成し、前記弾倉はさらに、
前記中央弾倉支持シャフトの周りに摺動可能に嵌るようなサイズで作られた中央孔と、
前記中央孔の周りに放射状に同孔と平行に配列された前記薬室と、
前記中央孔の周りに放射状に配列され、前記薬室のそれぞれを前記銃身と連続的に位置合わせするために前記弾倉インデックス機構に係合するように適合された前記第１の連続特徴部を備える、請求項３に記載の、ガス駆動式武器用の予めパッケージ化された虫用銃弾倉。
【請求項５】
前記ガス駆動式武器は、中央弾倉支持ロッドを有する枢動シリンダアクション回転式のライフルまたは小銃の形態を成し、前記支持ロッドが、枢動クレーンに取り付けられ、自由末端を有し、前記クレーンがラッチ装置で所定位置に保持され、前記ライフルまたは前記小銃が弾倉インデックス機構を有し、前記弾倉はさらに、
前記中央弾倉支持ロッドの周りに摺動可能に嵌るようなサイズで作られた中央装着孔と、
前記中央装着孔の周りに放射状に同孔と平行に配列された前記薬室と、
前記中央装着孔の周りに放射状に配列され、前記薬室のそれぞれを前記銃身と連続的に位置合わせするために前記弾倉インデックス機構に係合するように適合された前記第１の連続特徴部とを備える、請求項３に記載の、ガス駆動式武器用の予めパッケージ化された虫用銃弾倉。
【請求項６】
前記第１の脆弱なシール膜および前記第２の脆弱なシール膜は、
紙、プラスチック、金属箔および布地を含む群から選択された材料により作られる、請求項１に記載の、ガス駆動式武器用の予めパッケージ化された虫用銃弾倉。
【請求項７】
ガス駆動式武器用の予めパッケージ化された虫用銃弾倉の製造方法であって、
前記ガス駆動式武器の間隙内に嵌るように適合され、第１の面、第２の面および少なくとも１つの薬室を有する本体を用意する工程と、
前記薬室のそれぞれが第１の長さおよび第１の幅を有し、前記第１の長さが、前記薬室の第１の端にある前記第１の面から前記薬室の第２の端にある前記第２の面まで及ぶ、工程と、
第１の脆弱なシール膜を用意し、前記第１のシール膜を前記第１の面に取り外し可能に取り付け、前記薬室の前記第１の端をシールする工程と、
第２の脆弱なシール膜を用意し、前記第２のシール膜を前記第２の面に取り外し可能に取り付け、前記薬室の前記第２の端をシールする工程と、
粒子状発射物を用意し、前記発射物を前記薬室内に配列し、前記粒子状発射物を前記第１の脆弱なシール膜および前記第２の脆弱なシール膜で所定位置にシールする工程と、
前記少なくとも１つの薬室を前記ガス駆動式武器の銃身と位置合わせするように適合されたインデックスシステムを前記本体上に用意する工程とを含み、
前記ガス駆動式武器の発砲によって、加圧ガスが前記第１の脆弱なシール膜を破り、前記粒子状発射物の衝撃が、前記第２の脆弱なシール膜を破り、前記発射物を前記銃身に進入させて前記ガス駆動式武器から吐出させる、ガス駆動式武器用の予めパッケージ化された虫用銃弾倉の製造方法。
【請求項８】
前記インデックスシステムは、均等に離間した第１の連続特徴部および均等に離間した第２の連続特徴部を備え、前記第１の連続特徴部は、前記本体の前記第１の面および前記第２の面のいずれかに配列され、前記第２の連続特徴部は、前記本体の周縁に配列される、請求項７に記載の、ガス駆動式武器用の予めパッケージ化された虫用銃弾倉の製造方法。
【請求項９】
前記特徴部は、
孔、ノッチ、ギア歯および突起を含む群から選択される、請求項８に記載の、ガス駆動式武器用の予めパッケージ化された虫用銃弾倉の製造方法。
【請求項１０】
前記ガス駆動式武器は、中央弾倉支持シャフトおよび弾倉インデックス機構を有するブレークアクション回転式のライフルまたは小銃の形態を成し、前記弾倉の製造方法はさらに、
前記中央弾倉支持シャフトの周りに摺動可能に嵌るように適合された中央孔を用意する工程と、
前記薬室を前記中央孔の周りに放射状に同孔と平行に配列する工程と、  前記中央孔の周りに放射状に配列された前記第１の連続特徴部を、前記薬室のそれぞれを前記銃身と連続的に位置合わせするために前記弾倉インデックス機構に係合するように適合させる工程とを含む、請求項９に記載の、ガス駆動式武器用の予めパッケージ化された虫用銃弾倉の製造方法。
【請求項１１】
前記ガス駆動式武器は、中央弾倉支持ロッドを有する枢動シリンダアクション回転式のライフルまたは小銃の形態を成し、前記支持ロッドが枢動クレーンに取り付けられ、前記クレーンが、自由末端を有し、ラッチ装置で所定位置に保持され、前記ライフルまたは前記小銃が弾倉インデックス機構を有し、前記弾倉の製造方法はさらに、
前記中央弾倉支持ロッドの周りに摺動可能に嵌るようなサイズで作られた中央装着孔を用意する工程と、
前記薬室を前記中央装着孔の周りに放射状に同孔と平行に配列する工程と、
前記中央装着孔の周りに放射状に配列された前記第１の連続特徴部を、前記薬室のそれぞれを前記銃身と連続的に位置合わせするために前記弾倉インデックス機構に係合するように適合させる工程とを含む、請求項９に記載の、ガス駆動式武器用の予めパッケージ化された虫用銃弾倉の製造方法。
【請求項１２】
前記第１の脆弱なシール膜および前記第２の脆弱なシール膜は、
紙、プラスチック、金属箔および布地を含む群から選択された材料により作られる、請求項７に記載の、ガス駆動式武器用の予めパッケージ化された虫用銃弾倉の製造方法。
【発明の詳細な説明】
【技術分野】
【０００１】
本発明は、武器類および昆虫駆除の分野に関し、特に、連射武器用の予めパッケージ化された装填済み弾倉に関する。
【背景技術】
【０００２】
害虫に対処するための多くの方法および装置が開発されてきた。多くの人は、飛翔昆虫に対処することに特に関心があり、これは、飛翔昆虫が、非常に目立ち、時に騒々しく、しばしば刺したり咬んだりする性質を持っているためである。飛翔昆虫を駆除する従来の手段として、ハエ叩きやそれに等しい装置、または化学スプレーなどが挙げられる。前者は、実効的にするための一定の技能および機敏性を必要とし、後者は、使用されたエリアに潜在的に有害な残留化学物質を残す。本発明は、それらの問題に対処するとともに、飛翔昆虫を射撃するように構成された銃の形態で、害虫の除去を課せられた人に娯楽を提供する。銃の実効性を高めるとともに娯楽性を高めるために、本発明は、一連の弾丸に影響を及ぼすトリガーの反復的な引込みだけを必要とする高速な半自動射撃を可能にする。本発明は、武器に素早く取り付けることができる交換可能な弾倉も含む。飛翔昆虫を排除したり、同様の半自動射撃を可能にしたりするために開発された他の装置として、以下の発明が挙げられる。
【０００３】
本発明者に交付された特許文献１は、銃身に接続された薬室に流体接続された圧縮ガス供給源を含む殺虫銃に向けられる。圧縮ガス解放機構が、圧縮ガス供給源に接続される。発射物格納弾倉が、粒子状発射物を格納し、薬室の近傍に配置される。発射物装填機構が、発射物を弾倉から薬室に移動させる。コッキング機構が、圧縮ガス供給源、圧縮ガス解放機構、および発射物装填機構に機械的に接続される。銃床が、圧縮ガス供給源、圧縮ガス解放機構、銃身、薬室、発射物格納弾倉、コッキング機構および発射物装填機構を収容し支持する。銃の撃鉄が起こされると、発射物装填機構は、所定量の粒子状発射物を薬室に装填する。圧縮ガス解放機構が作動されると、発射物は、薬室から銃身に吐出され、銃から放出される。
【０００４】
Ｍｕｅｌｌｅｒのために発行された特許文献２は、小火器に電子部品を装着するための汎用収容孔に向けられる。孔は、壁に設けられた長手方向スロットを有し、そこでは、射撃機構の拡張によって孔の断面を全体的または部分的に変更可能である。打撃ピンが、クランプ状態で長手方向スロットに延びる。安全レバーが、ハウジング内に回転可能に支持され、孔の断面内に延びる。孔は、閉鎖経路の下で武器の弾薬フィーダの領域の後方に設けられ、武器の長手方向を横切って延びる。
【０００５】
Ｍａｒｃｏのために発行された特許文献３は、フレームと、遊底と、内腔が設けられた銃身と、銃身と関連付けられ、銃身の銃腔に接続された内部薬室をガス栓によって形成するシリンダと、薬室に少なくとも部分的に収納され、発射時に内腔から来るガスにより作動しうるピストンとを備える自己作動式銃器に向けられる。ピストンは、シリンダおよびフレームに対して遊動し、発射時に銃器の撃鉄を再び起こすために遊底に衝撃動作を及ぼすように適合された、シリンダの外部となる部分を備える。
【０００６】
Ｐｉｃｃｉｎｉに交付された特許文献４は、それぞれ前および後シリンダである少なくとも２つの連続シリンダを備える連発銃、特に圧縮空気銃の発射弾倉に向けられ、前シリンダには、弾丸を収容するためのＮ個の同一の薬室と、回転機構により係合されるためのＮ個の歯のクラウンとが設けられ、後シリンダには、弾丸を収容するためのＮ−１個の薬室と、弁から前シリンダの薬室への発射用ガスの通過を可能にするための、銃身とその都度位置合わせされる小径の孔とが設けられる。前および後シリンダには、第１のＮ個の弾丸が前シリンダから発射された後にだけ、２つのシリンダの相補的な回転のために互いに相互作用するように成形された相補的なカップリングが設けられる。
【０００７】
特許文献５は、ガス駆動式玩具銃用の弾倉に向けられる。弾倉は、クリップに装填される「銃弾」が小さな丸いボールであり、装薬またはケースを有していない点を除いて、典型的な自動小銃用のばね装填式挿弾子に似ている。この装置は、半自動式射撃機能用の自己装填を可能にする。
【０００８】
特許文献６は、別のガス駆動式玩具銃用の弾倉に向けられる。弾倉は、クリップに装填される「銃弾」が小さな丸いボールであり、装薬またはケースを有していない点を除いて、典型的な自動小銃用のばね装填式挿弾子に似ている。この装置は、半自動式射撃機能用の自己装填を可能にする。
【０００９】
Ｊｏｎｅｓ等のために発行された特許文献７は、回転弾倉を有する空気銃に向けられる。空気銃の本体は、弾倉から銃尾に小弾丸を一度に装填するために、取り外し可能な弾倉を銃尾の直ぐ後方に収納する。弾倉は、ハウジング内に回転可能に装着され、その軸線の周りに１０個の小弾丸保持スロットを備えたドラムを備える。ねじりばねが、揺動足を備える脱進機構により制御されると、インデックス工程においてドラムを回転させる。足は、銃の従来のコッキング機構のコッキングアームから突出したプランジャによって、戻りばねの動作に抗して変位する。プランジャは、アームのコッキング行程の端に向けてだけ脱進を作動させるように構成される。装填ラム／空気移送管が、コッキング動作を引き起こしながら、ドラムの１つのスロットから退き、新しい小弾丸を銃尾に装填するために次のスロットに進入するように往復動される。
【００１０】
Ｔｈａｉに交付された特許文献８は、子供が集めるような小さなディスクを吐出し、飛行距離を延ばすために吐出ディスクをスピンさせるばね駆動式玩具銃に向けられる。まず、ディスクが独立したばね動作式弾倉に装填され、ついで弾倉が銃の孔に挿入される。銃の透明窓によって、使用者は、弾倉の上ディスクおよびその記号を確認することができる。弾倉の上部は、上ディスクを所定位置に保持する２つの保持部材を支持する。それらの保持部材は、１つのディスクの厚さだけ弾倉から離間し、よって、銃から発射できるディスクの厚さを定める。上ディスクは、主ばねにより駆動される平坦な推進レバーによって銃から吐出される。トリガーに引き戻すことで、主ばねおよび推進レバーは停止位置から離れる。トリガーが完全に引かれると、主ばねは、自動的に解放され、前方にスナップし、推進レバーを前方に移動させ、上ディスクを打撃させて銃から推進させる。推進部材の先端が曲がっているので、推進部材は、ディスクの中心以外を打撃してディスクをスピンさせる。
【先行技術文献】
【特許文献】
【００１１】
【特許文献１】米国特許第８２５１０５１号明細書
【特許文献２】独国特許出願公開第１０２００８００６９４１号明細書
【特許文献３】特開２００２−１９５７９２号公報
【特許文献４】米国特許第６７４５７５５号明細書
【特許文献５】実用新案登録第３０６４８５０号公報
【特許文献６】実用新案登録第３０５５６８９号公報
【特許文献７】英国特許出願公開第２２４４１２１号明細書
【特許文献８】米国特許第５６１３４８２号明細書
【発明の概要】
【発明が解決しようとする課題】
【００１２】
本発明のある目的は、飛翔昆虫を駆除するための装置を提供することである。さらなる目的は、昆虫を駆除するために非毒性手段を使用するような装置を提供することである。本発明のまたさらなる目的は、昆虫を駆除するために使用される粒子状物質を含む、予め装填されシールされた弾倉を提供することである。またさらなる目的は、素早く交換可能であり、コンパクトであり、自己完結的なシールされた弾倉を提供することである。別の目的は、再装填設備により再装填可能な弾倉を提供することである。また別の目的は、使用が楽しく、動作コストが低い弾倉システムを提供することである。最後に、本発明のある目的は、耐久性が高く、低コストであり、使用者が簡単に使いこなせる殺虫装置を提供することである。
【００１３】
先行技術には、本発明の目的の一部が開示されるが、特定された要件の全てを含む発明は見当たらない。
【課題を解決するための手段】
【００１４】
本発明は、先行技術における殺虫銃の発明の欠点の全てに対処し、上述した目的の全てを満たす。
【００１５】
（１）所望の機能を提供する、ガス駆動式武器用の予めパッケージ化された虫用銃弾倉が、以下の部品から構成されうる。本体が用意される。本体は、ガス駆動式武器の間隙内に嵌るように適合されており、第１の面、第２の面および少なくとも１つの薬室を有する。薬室のそれぞれが第１の長さおよび第１の幅を有する。第１の長さは、薬室の第１の端にある第１の面から薬室の第２の端にある第２の面まで及ぶ。
【００１６】
第１の脆弱なシール膜が用意される。第１のシール膜は、本体の第１の面に取り外し可能に取り付けられ、薬室の第１の端をシールする。第２の脆弱なシール膜が用意される。第２のシール膜は、本体の第２の面に取り外し可能に取り付けられ、薬室の第２の端をシールする。粒子状発射物が用意される。発射物は、薬室内に配置され、第１の脆弱なシール膜および第２の脆弱なシール膜により所定位置にシールされる。インデックスシステムが用意される。インデックスシステムは、少なくとも１つの薬室をガス駆動式武器の銃身と位置合わせするように適合される。ガス駆動式武器の発砲によって、加圧ガスが第１の脆弱なシール膜を破り、粒子状発射物の衝撃が、第２の脆弱なシール膜を破り、発射物を銃身に進入させてガス駆動式武器から吐出させる。
【００１７】
（２）本発明のある変形では、インデックス装置は、均等に離間した第１の連続特徴部および均等に離間した第２の連続特徴部を含む。第１の連続特徴部は、本体の第１の面および第２の面のいずれかに配置される。第２の連続特徴部は、本体の周縁に配置される。
【００１８】
（３）別の変形では、第１の連続特徴部は、孔、ノッチ、ギア歯および突起を含む群から選択される。
【００１９】
（４）また別の変形では、ガス駆動式武器は、中央弾倉支持シャフトおよび弾倉インデックス機構を有するブレークアクション回転式のライフルまたは小銃の形態を成す。弾倉はさらに中央孔を含み、孔は、中央弾倉支持シャフトの周りに摺動可能に嵌るようなサイズで作られる。薬室は、中央孔の周りに放射状に同孔と平行に配置される。第１の連続特徴部は、中央孔の周りに放射状に配置され、薬室のそれぞれを銃身と連続的に位置合わせするために弾倉インデックス機構に係合するように適合される。
【００２０】
（５）また別の変形では、ガス駆動式武器は、中央弾倉支持ロッドを有する枢動シリンダアクション回転式のライフルまたは小銃の形態を成す。支持ロッドは、枢動クレーンに取り付けられ、自由末端を有する。クレーンは、ラッチ装置で所定位置に保持される。ライフルまたは小銃は弾倉インデックス機構を有する。弾倉はさらに中央装着孔を含む。装着孔は、中央弾倉支持ロッドの周りに摺動可能に嵌るようなサイズで作られる。薬室は、中央装着孔の周りに放射状に同孔と平行に配置される。特徴部は、中央装着孔の周りに放射状に配置され、薬室のそれぞれを銃身と連続的に位置合わせするために弾倉インデックス機構に係合するように適合される。
【００２１】
（６）本発明のさらなる変形では、第１の脆弱なシール膜および第２の脆弱なシール膜は、紙、プラスチック、金属箔および布地を含む群から選択された材料により作られる。
【００２２】
（７）またさらなる変形では、ガス駆動式武器用の予めパッケージ化された虫用銃弾倉の製造方法が、本体を用意する工程を含む。本体は、ガス駆動式武器の間隙内に嵌るように適合される。本体は、第１の面、第２の面および少なくとも１つの薬室を有する。薬室のそれぞれが第１の長さおよび第１の幅を有する。第１の長さは、薬室の第１の端にある第１の面から薬室の第２の端にある第２の面まで及ぶ。第１の脆弱なシール膜を用意し、第１のシール膜を第１の面に取り外し可能に取り付け、薬室の第１の端をシールする工程。第２の脆弱なシール膜を用意し、第２のシール膜を第２の面に取り外し可能に取り付け、薬室の第２の端をシールする工程。粒子状発射物を用意し、発射物を薬室内に配列し、粒子状発射物を第１の脆弱なシール膜および第２の脆弱なシール膜で所定位置にシールする工程。本体上にインデックスシステムを用意する工程。インデックスシステムは、少なくとも１つの薬室をガス駆動式武器の銃身と位置合わせするように適合される。ガス駆動式武器の発砲によって、加圧ガスが第１の脆弱なシール膜を破り、粒子状発射物の衝撃が、第２の脆弱なシール膜を破り、発射物を銃身に進入させてガス駆動式武器から吐出させる。
【００２３】
（８）またさらなる変形では、ガス駆動式武器用の予めパッケージ化された虫用銃弾倉の製造方法は、均等に離間した第１の連続特徴部および均等に離間した第２の連続特徴部を含むインデックス装置を用意する工程を含む。第１の連続特徴部は、本体の第１の面および第２の面のいずれかに配置される。第２の連続特徴部は、本体の周縁に配置される。
【００２４】
（９）本発明の別の変形では、特徴部は、孔、ノッチ、ギア歯および突起を含む群から選択される。
【００２５】
（１０）また別の変形では、ガス駆動式武器用の予めパッケージ化された虫用銃弾倉の製造方法であって、ガス駆動式武器が、中央弾倉支持シャフトおよび弾倉インデックス機構を有するブレークアクション回転式のライフルまたは小銃の形態を成し、弾倉の製造方法はさらに、中央孔を用意する工程を含み、孔は、中央弾倉支持シャフトの周りに摺動可能に嵌るようなサイズで作られる。薬室を中央孔の周りに放射状に同孔と平行に配置する工程。中央孔の周りに放射状に配置された第１の連続特徴部を、薬室のそれぞれを銃身と連続的に位置合わせするために弾倉インデックス機構に係合するように適合させる工程。
【００２６】
（１１）さらに別の変形では、ガス駆動式武器用の予めパッケージ化された虫用銃弾倉の製造方法であって、ガス駆動式武器が、中央弾倉支持ロッドを有する枢動シリンダアクション回転式のライフルまたは小銃の形態を成す、製造方法では、支持ロッドが枢動クレーンに取り付けられ、クレーンは、自由末端を有し、ラッチ装置で所定位置に保持され、ライフルまたは小銃は弾倉インデックス機構を有する。弾倉の製造方法はさらに、中央装着孔を用意する工程を含み、装着孔は、中央弾倉支持ロッドの周りに摺動可能に嵌るようなサイズで作られる。薬室を中央装着孔の周りに放射状に同孔と平行に配置する工程。中央装着孔の周りに放射状に配置された第１の連続特徴部を、薬室のそれぞれを銃身と連続的に位置合わせするために弾倉インデックス機構に係合するように適合させる工程。
【００２７】
（１２）本発明の最終変形では、ガス駆動式武器用の予めパッケージ化された虫用銃弾倉の製造方法であって、製造方法では、第１の脆弱なシール膜および第２の脆弱なシール膜は、紙、プラスチック、金属箔および布地を含む群から選択された材料により作られる。
【００２８】
添付の図面および好適な実施形態の詳細な説明を参照することによって、本発明の他の目標および目的の認識ならびにその理解が達成されうる。
【図面の簡単な説明】
【００２９】
【図１】リボルバ閉鎖動作を伴う、予めパッケージ化された殺虫銃弾倉を装備したガス駆動式ブレークアクションリボルバの斜視図である。
【図２】リボルバ開放動作および所定位置にある使用前の予めパッケージ化された殺虫銃弾倉を伴う、図１の実施形態の斜視図である。
【図３】予めパッケージ化された殺虫銃弾倉の拡大分解斜視図であり、弾倉の第１および第２の脆弱なシール膜、粒子状発射物、インデックスシステムならびに中央装着孔を例示している。
【図４】武器の発砲前の図１の実施形態のインデックス機構の斜視図である。
【図５】武器の発砲後の図１の実施形態のインデックス機構の斜視図であり、シリンダ回転ストッパを例示している。
【図６】リボルバ開放動作および中央弾倉支持シャフトに装着する準備が整った使用前の予めパッケージ化された殺虫銃弾倉を伴う、図１の実施形態の斜視図である。
【図７】リボルバ開放動作を伴う、取り外され装填する準備が整った予めパッケージ化された殺虫銃弾倉を装備したガス駆動式スイングアウトシリンダリボルバの斜視図である。
【図８】所定位置にあり使用の準備が整った予めパッケージ化された殺虫銃弾倉を装備したガス駆動式スライド弾倉小銃の斜視図である。
【図９】武器の発砲前の図８の実施形態のインデックス機構の斜視図である。
【発明を実施するための形態】
【００３０】
（１）図１〜図９は、以下の部品により構成されうる、所望の機能を提供する、ガス駆動式武器１４用の予めパッケージ化された殺虫銃弾倉１０を例示している。本体１８が用意される。本体１８は、ガス駆動式武器１４の間隙２２内に嵌るように適合されており、第１の面２６、第２の面３０および少なくとも１つの薬室３４を有する。薬室３４のそれぞれが第１の長さ３８および第１の幅４２を有する。第１の長さ３８は、薬室３４の第１の端４６にある第１の面２６から薬室３４の第２の端（不図示）にある第２の面３０まで及ぶ。
【００３１】
図２、図３、図６および図８に例示するように、第１の脆弱なシール膜５４が用意される。第１のシール膜５４は、本体１８の第１の面２６に取り外し可能に取り付けられ、薬室３４の第１の端４６をシールする。第２の脆弱なシール膜５８が用意される。第２のシール膜５８は、本体１８の第２の面３０に取り外し可能に取り付けられ、薬室３４の第２の端をシールする。粒子状発射物６２が用意される。発射物６２は、薬室３４内に配置され、第１の脆弱なシール膜５４および第２の脆弱なシール膜５８により所定位置にシールされる。インデックスシステム６６が用意される。インデックスシステム６６は、少なくとも１つの薬室３４をガス駆動式武器１４の銃身７０と位置合わせするように適合される。ガス駆動式武器１４の発砲によって、加圧ガス（不図示）が第１の脆弱なシール膜５４を破り、粒子状発射物６２の衝撃が、第２の脆弱なシール膜５８を破り、発射物６２を銃身７０に進入させてガス駆動式武器１４から吐出させる。
【００３２】
（２）本発明のある変形では、インデックスシステム６６は、均等に離間した第１の連続特徴部７８および均等に離間した第２の連続特徴部８４を含む。第１の連続特徴部７８は、本体１８の第１の面２６および第２の面３０のいずれかに配置される。第２の連続特徴部８４は、本体１８の周縁８８に配置される。
【００３３】
（３）別の変形では、第１の連続特徴部７８は、孔（不図示）、ノッチ（不図示）、ギア歯（不図示）および突起９４を含む群から選択される。
【００３４】
（４）また別の変形では、図１、図２、および図４〜図６に例示するように、ガス駆動式武器１４は、中央弾倉支持シャフト１０６および弾倉インデックス機構１１０を有するブレークアクション回転式のライフル（不図示）または小銃１０２の形態を成す。図２、図３および図６に例示するように、弾倉１０はさらに中央孔１１４を含む。孔１１４は、中央弾倉支持シャフト１０６の周りに摺動可能に嵌るようなサイズで作られる。薬室３４は、中央孔１１４の周りに放射状に同孔と平行に配置される。第１の連続特徴部７８は、中央孔１１４の周りに放射状に配置され、薬室３４のそれぞれを銃身７０と連続的に位置合わせするために弾倉インデックス機構１１０に係合するように適合される。
【００３５】
（５）また別の変形では、図７に例示するように、ガス駆動式武器１４は、中央弾倉支持ロッド１２６を有する枢動シリンダアクション回転式のライフル（不図示）または小銃１２２の形態を成す。支持ロッド１２６は、枢動クレーン１３０に取り付けられ、自由末端１３４を有する。クレーン１３０は、ラッチ装置１３８で所定位置に保持される。ライフルまたは小銃１２２は弾倉インデックス機構（不図示）を有する。弾倉１０はさらに中央装着孔１１４を含む。装着孔１１４は、中央弾倉支持ロッド１２６の周りに摺動可能に嵌るようなサイズで作られる。薬室３４は、中央装着孔１１４の周りに放射状に同孔と平行に配置される。第１の連続特徴部７８は、中央装着孔１１４の周りに放射状に配置され、薬室３４のそれぞれを銃身７０と連続的に位置合わせするために弾倉インデックス機構に係合するように適合される。
【００３６】
（６）本発明のさらなる変形では、図２、図３および図６〜図８に例示するように、第１の脆弱なシール膜５４および第２の脆弱なシール膜５８は、紙１４６、プラスチック（不図示）、金属箔１５４および布地（不図示）を含む群から選択された材料により作られる。
【００３７】
（７）またさらなる変形では、ガス駆動式武器１４用の予めパッケージ化された虫用銃弾倉１０の製造方法が、本体１８を用意する工程を含む。本体１８は、ガス駆動式武器１４の間隙２２内に嵌るように適合される。本体１８は、第１の面２６、第２の面３０および少なくとも１つの薬室３４を有する。薬室３４のそれぞれが第１の長さ３８および第１の幅４２を有する。第１の長さ３８は、薬室３４の第１の端４６にある第１の面２６から薬室３４の第２の端５０にある第２の面３０まで及ぶ。第１の脆弱なシール膜５４を用意し、第１のシール膜５４を第１の面２６に取り外し可能に取り付け、薬室３４の第１の端４６をシールする工程。第２の脆弱なシール膜５８を用意し、第２のシール膜５８を第２の面３０に取り外し可能に取り付け、薬室３４の第２の端５０をシールする工程。粒子状発射物６２を用意し、発射物６２を薬室３４内に配列し、粒子状発射物６２を第１の脆弱なシール膜５４および第２の脆弱なシール膜５８で所定位置にシールする工程。本体１８上にインデックスシステム６６を用意する工程。インデックスシステム６６は、少なくとも１つの薬室３４をガス駆動式武器１４の銃身７０と位置合わせするように適合される。ガス駆動式武器１４の発砲によって、加圧ガス（不図示）が第１の脆弱なシール膜５４を破り、粒子状発射物６２の衝撃が、第２の脆弱なシール膜５８を破り、発射物６２を銃身７０に進入させてガス駆動式武器１４から吐出させる。
【００３８】
（８）またさらなる変形では、ガス駆動式武器１４用の予めパッケージ化された虫用銃弾倉１０の製造方法は、均等に離間した第１の連続特徴部７８および均等に離間した第２の連続特徴部８４を含むインデックスシステム６６を用意する工程を含む。第１の連続特徴部７８は、本体１８の第１の面２６および第２の面３０のいずれかに配置される。第２の連続特徴部８４は、本体１８の周縁８８に配置される。
【００３９】
（９）本発明の別の変形では、特徴部は、孔（不図示）、ノッチ（不図示）、ギア歯（不図示）および突起９４を含む群から選択される。
【００４０】
（１０）また別の変形では、ガス駆動式武器１４用の予めパッケージ化された虫用銃弾倉１０の製造方法であって、ガス駆動式武器１４が、中央弾倉支持シャフト１０６および弾倉インデックス機構１１０を有するブレークアクション回転式のライフル（不図示）または小銃１０２の形態を成し、弾倉１０の製造方法はさらに、中央孔１１４を用意する工程を含み、孔１１４は、中央弾倉支持シャフト１０６の周りに摺動可能に嵌るようなサイズで作られる。薬室３４を中央孔１１４の周りに放射状に同孔と平行に配置する工程。中央孔１１４の周りに放射状に配置された第１の連続特徴部７８を、薬室３４のそれぞれを銃身７０と連続的に位置合わせするために弾倉インデックス機構１１０に係合するように適合させる工程。
【００４１】
（１１）さらに別の変形では、ガス駆動式武器１４用の予めパッケージ化された虫用銃弾倉１０の製造方法であって、ガス駆動式武器１４が、中央弾倉支持ロッド１２６を有する枢動シリンダアクション回転式のライフル（不図示）または小銃１２２の形態を成す、製造方法では、支持ロッド１２６が枢動クレーン１３０に取り付けられ、クレーン１３０は、自由末端１３４を有し、ラッチ装置１３８で所定位置に保持され、ライフルまたは小銃１２２は弾倉インデックス機構１４２を有する。弾倉１０の製造方法はさらに、中央装着孔１１４を用意する工程を含み、装着孔１１４は、中央弾倉支持ロッド１２６の周りに摺動可能に嵌るようなサイズで作られる。薬室３４を中央装着孔１１４の周りに放射状に同孔と平行に配置する工程。中央装着孔１１４の周りに放射状に配置された特徴部７８を、薬室３４のそれぞれを銃身７０と連続的に位置合わせするために弾倉インデックス機構１４２に係合するように適合させる工程。
【００４２】
（１２）本発明の最終変形では、ガス駆動式武器１４用の予めパッケージ化された虫用銃弾倉１０の製造方法であって、製造方法では、第１の脆弱なシール膜５４および第２の脆弱なシール膜５８は、紙１４６、プラスチック（不図示）、金属箔１５４および布地（不図示）を含む群から選択された材料により作られる。
【００４３】
予めパッケージ化された殺虫銃弾倉１０について、特定の実施形態を参照して説明してきた。以下の請求項の趣旨および範囲から逸脱せずに、他の変更形態および拡張形態を作ることができる。
【図１】
2019513343.tif 000003
【図２】
2019513343.tif 000004
【図３】
2019513343.tif 000005
【図４】
2019513343.tif 000006
【図５】
2019513343.tif 000007
【図６】
2019513343.tif 000008
【図７】
2019513343.tif 000009
【図８】
2019513343.tif 000010
【図９】
2019513343.tif 000011
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
ガス駆動式武器用の予めパッケージ化された虫用銃弾倉であって、
前記ガス駆動式武器の間隙内に嵌るように適合されており、第１の面、第２の面および少なくとも１つの薬室を有する本体と、
前記少なくとも１つの薬室が第１の長さおよび第１の幅を有し、前記第１の長さが、前記薬室の第１の端にある前記第１の面から前記薬室の第２の端にある前記第２の面まで及ぶ、前記薬室と、
前記第１の面に取り外し可能に取り付けられ、前記薬室の前記第１の端をシールする第１の脆弱なシール膜と、
前記第２の面に取り外し可能に取り付けられ、前記薬室の前記第２の端をシールする第２の脆弱なシール膜と、
前記薬室内に配列され、前記第１の脆弱なシール膜および前記第２の脆弱なシール膜により所定位置にシールされた粒子状発射物と、
前記少なくとも１つの薬室を前記ガス駆動式武器の銃身と位置合わせするように適合されたインデックスシステムとを備え、
前記インデックスシステムは、
前記本体の前記第１の面および前記第２の面のいずれかに配列された均等に離間した第１の連続特徴部と、
前記本体の周縁に配列された均等に離間した第２の連続特徴部とを備え、
前記ガス駆動式武器の発砲によって、加圧ガスが前記第１の脆弱なシール膜を破り、前記粒子状発射物の衝撃が、前記第２の脆弱なシール膜を破り、前記発射物を前記銃身に進入させて前記ガス駆動式武器から吐出させる、ガス駆動式武器用の予めパッケージ化された虫用銃弾倉。
【請求項２】
前記第１の連続特徴部は、孔、ノッチ、ギア歯および突起を含む群から選択される、請求項１に記載の、ガス駆動式武器用の予めパッケージ化された虫用銃弾倉。
【請求項３】
前記ガス駆動式武器は、中央弾倉支持シャフトおよび弾倉インデックス機構を有するブレークアクション回転式のライフルまたは小銃の形態を成し、前記弾倉はさらに、
前記中央弾倉支持シャフトの周りに摺動可能に嵌るようなサイズで作られた中央孔と、
前記中央孔の周りに放射状に同孔と平行に配列された前記薬室と、
前記中央孔の周りに放射状に配列され、前記薬室のそれぞれを前記銃身と連続的に位置合わせするために前記弾倉インデックス機構に係合するように適合された前記第１の連続特徴部を備える、請求項２に記載の、ガス駆動式武器用の予めパッケージ化された虫用銃弾倉。
【請求項４】
前記ガス駆動式武器は、中央弾倉支持ロッドを有する枢動シリンダアクション回転式のライフルまたは小銃の形態を成し、前記支持ロッドが、枢動クレーンに取り付けられ、自由末端を有し、前記クレーンがラッチ装置で所定位置に保持され、前記ライフルまたは前記小銃が弾倉インデックス機構を有し、前記弾倉はさらに、
前記中央弾倉支持ロッドの周りに摺動可能に嵌るようなサイズで作られた中央装着孔と、
前記中央装着孔の周りに放射状に同孔と平行に配列された前記薬室と、
前記中央装着孔の周りに放射状に配列され、前記薬室のそれぞれを前記銃身と連続的に位置合わせするために前記弾倉インデックス機構に係合するように適合された前記第１の連続特徴部とを備える、請求項２に記載の、ガス駆動式武器用の予めパッケージ化された虫用銃弾倉。
【請求項５】
前記第１の脆弱なシール膜および前記第２の脆弱なシール膜は、
紙、プラスチック、金属箔および布地を含む群から選択された材料により作られる、請求項１に記載の、ガス駆動式武器用の予めパッケージ化された虫用銃弾倉。
【請求項６】
ガス駆動式武器用の予めパッケージ化された虫用銃弾倉の製造方法であって、
前記ガス駆動式武器の間隙内に嵌るように適合され、第１の面、第２の面および少なくとも１つの薬室を有する本体を用意する工程と、
前記少なくとも１つの薬室が第１の長さおよび第１の幅を有し、前記第１の長さが、前記薬室の第１の端にある前記第１の面から前記薬室の第２の端にある前記第２の面まで及ぶ、工程と、
第１の脆弱なシール膜を用意し、前記第１のシール膜を前記第１の面に取り外し可能に取り付け、前記薬室の前記第１の端をシールする工程と、
第２の脆弱なシール膜を用意し、前記第２のシール膜を前記第２の面に取り外し可能に取り付け、前記薬室の前記第２の端をシールする工程と、
粒子状発射物を用意し、前記発射物を前記薬室内に配列し、前記粒子状発射物を前記第１の脆弱なシール膜および前記第２の脆弱なシール膜で所定位置にシールする工程と、
前記少なくとも１つの薬室を前記ガス駆動式武器の銃身と位置合わせするように適合されたインデックスシステムを前記本体上に用意する工程とを含み、
前記インデックスシステムは、均等に離間した第１の連続特徴部および均等に離間した第２の連続特徴部を備え、前記第１の連続特徴部は、前記本体の前記第１の面および前記第２の面のいずれかに配列され、前記第２の連続特徴部は、前記本体の周縁に配列され、
前記ガス駆動式武器の発砲によって、加圧ガスが前記第１の脆弱なシール膜を破り、前記粒子状発射物の衝撃が、前記第２の脆弱なシール膜を破り、前記発射物を前記銃身に進入させて前記ガス駆動式武器から吐出させる、ガス駆動式武器用の予めパッケージ化された虫用銃弾倉の製造方法。
【請求項７】
前記特徴部は、
孔、ノッチ、ギア歯および突起を含む群から選択される、請求項６に記載の、ガス駆動式武器用の予めパッケージ化された虫用銃弾倉の製造方法。
【請求項８】
前記ガス駆動式武器は、中央弾倉支持シャフトおよび弾倉インデックス機構を有するブレークアクション回転式のライフルまたは小銃の形態を成し、前記弾倉の製造方法はさらに、
前記中央弾倉支持シャフトの周りに摺動可能に嵌るように適合された中央孔を用意する工程と、
前記薬室を前記中央孔の周りに放射状に同孔と平行に配列する工程と、  前記中央孔の周りに放射状に配列された前記第１の連続特徴部を、前記薬室のそれぞれを前記銃身と連続的に位置合わせするために前記弾倉インデックス機構に係合するように適合させる工程とを含む、請求項７に記載の、ガス駆動式武器用の予めパッケージ化された虫用銃弾倉の製造方法。
【請求項９】
前記ガス駆動式武器は、中央弾倉支持ロッドを有する枢動シリンダアクション回転式のライフルまたは小銃の形態を成し、前記支持ロッドが枢動クレーンに取り付けられ、前記クレーンが、自由末端を有し、ラッチ装置で所定位置に保持され、前記ライフルまたは前記小銃が弾倉インデックス機構を有し、前記弾倉の製造方法はさらに、
前記中央弾倉支持ロッドの周りに摺動可能に嵌るようなサイズで作られた中央装着孔を用意する工程と、
前記薬室を前記中央装着孔の周りに放射状に同孔と平行に配列する工程と、
前記中央装着孔の周りに放射状に配列された前記第１の連続特徴部を、前記薬室のそれぞれを前記銃身と連続的に位置合わせするために前記弾倉インデックス機構に係合するように適合させる工程とを含む、請求項７に記載の、ガス駆動式武器用の予めパッケージ化された虫用銃弾倉の製造方法。
【請求項１０】
前記第１の脆弱なシール膜および前記第２の脆弱なシール膜は、
紙、プラスチック、金属箔および布地を含む群から選択された材料により作られる、請求項６に記載の、ガス駆動式武器用の予めパッケージ化された虫用銃弾倉の製造方法。
【国際調査報告】
2019513343.tif 000012